(57)【要約】【課題】被記録体の種類や表裏を精度高く判別できるようにすることを目的とする。【解決手段】被記録体に対する記録を行う記録部材と、前記被記録体の一面を検知する第一検知部材と、前記被記録体の他面を検知する第二検知部材とを有する記録装置において、前記第一検知部材から出力される第一検知信号値と、前記第二検知部材から出力される第二検知信号値のうち、大きい方の信号値、及び、前記第一検知信号値と前記第二検知信号値との差、を用いて、前記被記録体の種類を判別する。【選択図】      図８
2004209889.tif 000002
【特許請求の範囲】
【請求項１】
被記録体に対する記録を行う記録部材と、前記被記録体の一面を検知する第一検知部材と、前記被記録体の他面を検知する第二検知部材とを有する記録装置において、
前記第一検知部材から出力される第一検知信号値と、前記第二検知部材から出力される第二検知信号値のうち、大きい方の信号値、及び、
前記第一検知信号値と前記第二検知信号値との差、を用いて、
前記被記録体の種類を判別することを特徴とする記録装置。
【請求項２】
請求項１に記載の記録装置において、
前記第一検知信号値と前記第二検知信号値のうち、大きい方の信号値が所定の範囲に入っている場合は、前記第一検知信号値と前記第二検知信号値との差を用いて、前記被記録体の種類を判別することを特徴とする記録装置。
【請求項３】
請求項２に記載の記録装置において、
前記所定の範囲には複数の前記被記録体の種類が予め対応付けられており、
前記第一検知信号値と前記第二検知信号値との差を用いて前記所定の範囲に予め対応付けられた複数の前記被記録体の種類のうち、いずれかの種類を判別することを特徴とする記憶装置。
【請求項４】
請求項１乃至請求項３のいずれかに記載の記録装置において、
前記第一検知信号値と前記第二検知信号値のうち、大きい方の信号値、及び、
前記第一検知信号値と前記第二検知信号値との差を用いて、
前記被記録体の種類及び表裏面を判別することを特徴とする記録装置。
【請求項５】
請求項１乃至請求項４のいずれかに記載の記録装置において、
前記第一検知部材と前記第二検知部材は光学センサであることを特徴とする記録装置。
【請求項６】
請求項５に記載の記録装置において、
前記第一検知部材と前記第二検知部材は発光部と受光部とを有し、
前記発光部は、前記被記録体に光を発し、
前記受光部は、前記被記録体によって反射された光を受けることを特徴とする記録装置。
【請求項７】
請求項４に記載の記録装置において、
前記被記録体の面を他側の面に反転する反転機構を備えることを特徴とする記録装置。
【請求項８】
請求項７に記載の記録装置において、
前記記録装置が記録をしようとする前記被記録体の面が記録すべき面でないと判断されたときに、前記反転機構により前記他側の面に反転して、当該他側の面に記録を行うことを特徴とする記録装置。
【請求項９】
被記録体に対する記録を行う記録部材と、前記被記録体の一面を検知する第一検知部材と、前記被記録体の他面を検知する第二検知部材とを有する記録装置において、
前記第一検知部材から出力される第一検知信号値と、前記第二検知部材から出力される第二検知信号値のうち、大きい方の信号値が、予め複数の前記記録対の種類の対応付けられた所定の範囲に入っている場合は、
前記第一検知信号値と前記第二検知信号値との差を用いて、前記所定の範囲に予め対応付けられた複数の前記被記録体の種類のうち、いずれかの種類を判別することを特徴とする記録装置。
【請求項１０】
被記録体に対する記録を行う記録部材と、前記被記録体の一面を検知する第一検知部材と、前記被記録体の他面を検知する第二検知部材とを有する記録装置による記録方法において、
前記第一検知部材から出力される第一検知信号値と、前記第二検知部材から出力される第二検知信号値のうち、大きい方の信号値、及び、
前記第一検知信号値と前記第二検知信号値との差、を用いて、
前記被記録体の種類を判別することを特徴とする記録方法。
【請求項１１】
被記録体に対する記録を行う記録部材と、前記被記録体の一面を検知する第一検知部材と、前記被記録体の他面を検知する第二検知部材とを有する記録装置に、
前記第一検知部材から出力される第一検知信号値と、前記第二検知部材から出力される第二検知信号値のうち、大きい方の信号値、及び、
前記第一検知信号値と前記第二検知信号値との差、を用いて、
前記被記録体の種類を判別させるためのコンピュータプログラム。
【請求項１２】
被記録体に対する記録を行う記録部材と、前記被記録体の一面を検知する第一検知部材と、前記被記録体の他面を検知する第二検知部材とを有する記録装置、及び、この記録装置に接続可能なコンピュータ本体を備えたコンピュータシステムにおいて、
前記記録装置は、前記第一検知部材から出力される第一検知信号値と、前記第二検知部材から出力される第二検知信号値のうち、大きい方の信号値、及び、
前記第一検知信号値と前記第二検知信号値との差、を用いて、
前記被記録体の種類を判別することを特徴とするコンピュータシステム。
【発明の詳細な説明】
【０００１】
【発明の属する技術分野】
本発明は、記録装置、記録方法、コンピュータプログラム、及び、コンピュータシステムに関する。
【０００２】
【従来の技術】
インクジェットプリンタなどをはじめとする記録装置の被記録体としては、普通紙をはじめ、マット紙、光沢紙又はフィルムなど、用途に応じて様々な種類のものが用意されている。これらのうち、マット紙、光沢紙又はフィルムなどにおいては、高い画像品質などを得るためやインクの広がりやにじみを抑えるために、特殊な多層構造の膜（コーティング）が施されている。このようなコーティングは、被記録体の片面側にのみ施されていることが多い。さらに、記録時のインク吐出モードや被記録体の種類等の各種記録条件は、ユーザーにより適切に設定選択されることが望ましい。そのため、従来においては、かかる設定選択がユーザーに委ねられていたので、ユーザーに適切な判断を強いることになり、また、被記録体の種類が増えるにつれて設定選択の複雑さが増すことになる。
【０００３】
そこで、従来より、被記録体の種類又は表裏を判別する機能を備えた記録装置が提案されている（例えば、特許文献１）。この記録装置は、被記録体に対し上下面に光を照射してその光の反射率の差分値と、予め測定した絶対値とを組み合わせて被記録体の種類を判別するようになっている。記録しようとする設定が被記録体の種類と異なると判断された場合や記録しようとする面が記録すべき面ではないと判断された場合には、ユーザーにエラーメッセージや警告音等で報知して、記録を続行するか中止するように促したりするようになっている。
【０００４】
【特許文献１】
特開２００１−２０５８７４号公報
【０００５】
【発明が解決しようとする課題】
しかしながら、被記録体によっては、種類や表裏が異なっても実質的に等しい反射率を持つものが存在するため、この方法では全ての被記録体の種類や表裏を正確に判別することは困難であった。また、被記録体の種類や表裏は、初心者はもちろん予備知識がある者であっても、さわり心地や見た目だけで簡単に見分けられない場合がある。このような場合には、ユーザーにより被記録体が正しくセットし直されない可能性があり、再度エラーメッセージや警告が発せられるなどして、ユーザーに余計な混乱を招く虞がある。    
本発明は、被記録体の種類等を精度高く判別できるようにすることを目的とする。
【０００６】
【課題を解決するための手段】
主たる発明は、被記録体に対する記録を行う記録部材と、前記被記録体の一面を検知する第一検知部材と、前記被記録体の他面を検知する第二検知部材とを有する記録装置において、前記第一検知部材から出力される第一検知信号値と、前記第二検知部材から出力される第二検知信号値のうち、大きい方の信号値、及び、前記第一検知信号値と前記第二検知信号値との差、を用いて、前記被記録体の種類を判別することを特徴とする記録装置である。    
本発明の他の特徴は、本明細書及び添付図面の記載により明らかにする。
【０００７】
【発明の実施の形態】
本明細書および添付図面の記載により、少なくとも、次のことが明らかにされる。    
被記録体に対する記録を行う記録部材と、前記被記録体の一面を検知する第一検知部材と、前記被記録体の他面を検知する第二検知部材とを有する記録装置において、前記第一検知部材から出力される第一検知信号値と、前記第二検知部材から出力される第二検知信号値のうち、大きい方の信号値、及び、前記第一検知信号値と前記第二検知信号値との差、を用いて、前記被記録体の種類を判別することを特徴とする記録装置。    
このような記録装置によれば、検知部材から出力される２つの検知信号値の大きい方の信号値と２つの信号値の差を用いることで、被記録体の種類を効果的に判別することができる。
【０００８】
かかる記録装置において、前記第一検知信号値と前記第二検知信号値のうち、大きい方の信号値が所定の範囲に入っている場合は、前記第一検知信号値と前記第二検知信号値との差を用いて、前記被記録体の種類を判別することとしても良い。    
このような記録装置によれば、検知部材から出力される２つの検知信号値のうち大きい方の信号値が所定の範囲内に入っている場合に、前記検知部材から出力される２つの検知信号値の差を用いることで被記録体の種類を正確に判別することができる。
【０００９】
かかる記録装置において、前記所定の範囲には複数の前記被記録体の種類が予め対応付けられており、前記第一検知信号値と前記第二検知信号値との差を用いて前記所定の範囲に予め対応付けられた複数の前記被記録体の種類のうち、いずれかの種類を判別することとしても良い。    
このような記録装置によれば、前記検知部材から出力される２つの検知信号値のうち大きい方の信号値が入っている前記所定の範囲には、複数の被記録体の種類が予め対応付けられており、さらに前記検知部材から出力される２つの検知信号値の差を用いることにより被記録体の種類のうちいずれかの種類かを判別することができる。したがって、このような記録装置によれば、被記録体の種類をより効率的に判別することができる。
【００１０】
かかる記録装置において、前記第一検知信号値と前記第二検知信号値のうち、大きい方の信号値、及び、前記第一検知信号値と前記第二検知信号値との差を用いて、前記被記録体の種類及び表裏面を判別することとしても良い。    
このような記録装置によれば、前記検知部材から出力される２つの前記検知信号を用いて、被記録体の種類及び表裏面を判別することができる。
【００１１】
かかる記録装置において、前記第一検知部材と前記第二検知部材は光学センサであることとしても良い。    
また、かかる記録装置において、前記第一検知部材と前記第二検知部材は発光部と受光部とを有し、前記発光部は、前記被記録体に光を発し、前記受光部は、前記被記録体によって反射された光を受けることとしても良い。    
このような記録装置によれば、簡易なセンサによって、前記被記録体の種類等を判別することができる。
【００１２】
また、かかる記録装置において、前記被記録体の面を他側の面に反転する反転機構を備えることしても良い。    
また、かかる記録装置において、前記記録装置が記録をしようとする前記被記録体の面が記録すべき面でないと判断されたときに、前記反転機構により前記他側の面に反転して、当該他側の面に記録を行うことしても良い。
【００１３】
このような記録装置によれば、検知部材から出力される２つの検知信号に基づく判別結果により、記録をしようとする被記録体の面が記録すべき面でないと判断されたときに、反転機構により他側の面に切り替えて、その他側の面に記録を行うようにする。そのため、被記録体の表裏を誤ってセットされた場合であっても、これを自動的に記録すべき面に反転し、その面に記録をすることができる。例えば、記録する表面にコーティングを有する被記録体を使用者が誤って表裏逆に記録装置にセットしてしまうと、コーティングが施されていない面、即ち本来記録がされるべきではない面に記録がされてしまい、せっかくのコーティングを有する被記録体やインクが無駄に消費してしまう結果となるが、このような記録装置によれば、正しい被記録体の面に適切に記録することができる。
【００１４】
また、被記録体に対する記録を行う記録部材と、前記被記録体の一面を検知する第一検知部材と、前記被記録体の他面を検知する第二検知部材とを有する記録装置において、前記第一検知部材から出力される第一検知信号値と、前記第二検知部材から出力される第二検知信号値のうち、大きい方の信号値が、予め複数の前記記録対の種類の対応付けられた所定の範囲に入っている場合は、前記第一検知信号値と前記第二検知信号値との差を用いて、前記所定の範囲に予め対応付けられた複数の前記被記録体の種類のうち、いずれかの種類を判別することを特徴とする記録装置も実現可能である。
【００１５】
また、被記録体に対する記録を行う記録部材と、前記被記録体の一面を検知する第一検知部材と、前記被記録体の他面を検知する第二検知部材とを有する記録装置による記録方法において、前記第一検知部材から出力される第一検知信号値と、前記第二検知部材から出力される第二検知信号値のうち、大きい方の信号値、及び、前記第一検知信号値と前記第二検知信号値との差、を用いて、前記被記録体の種類を判別することを特徴とする記録方法も実現可能である。
【００１６】
また、被記録体に対する記録を行う記録部材と、前記被記録体の一面を検知する第一検知部材と、前記被記録体の他面を検知する第二検知部材とを有する記録装置に、前記第一検知部材から出力される第一検知信号値と、前記第二検知部材から出力される第二検知信号値のうち、大きい方の信号値、及び、前記第一検知信号値と前記第二検知信号値との差、を用いて、前記被記録体の種類を判別させるためのコンピュータプログラムも実現可能である。
【００１７】
また、被記録体に対する記録を行う記録部材と、前記被記録体の一面を検知する第一検知部材と、前記被記録体の他面を検知する第二検知部材とを有する記録装置、及び、この記録装置に接続可能なコンピュータ本体を備えたコンピュータシステムにおいて、前記記録装置は、前記第一検知部材から出力される第一検知信号値と、前記第二検知部材から出力される第二検知信号値のうち、大きい方の信号値、及び、前記第一検知信号値と前記第二検知信号値との差、を用いて、前記被記録体の種類を判別することを特徴とするコンピュータシステムも実現可能である。    
本発明の他の特徴については、添付図面及び本明細書の記載により明らかにする。
【００１８】
＝＝＝記録装置の概要＝＝＝
記録装置について、インクジェットプリンタを例にとり、その概要について説明する。図１は、そのインクジェットプリンタの一実施形態の内部構成を示したものである。    
このインクジェットプリンタ１０は、カラー画像の出力が可能なプリンタであり、例えば、シアン（Ｃ）、マゼンダ（Ｍ）、イエロ（Ｙ）、ブラック（Ｂ）の４色の色インクを被記録体２０の上に吐出してドットを形成し、当該ドットにより画像を形成するインク吐出方式のプリンタである。
【００１９】
プリンタ１０は、図１に示すように、搬送部１２と、この搬送部１２より搬送される被記録体２０に対してインクを吐出して記録を行う記録ヘッドＩＨ１〜ＩＨ４と、これら記録ヘッドＩＨ１〜ＩＨ４を搭載したキャリッジ３０と、被記録体２０を搬送する搬送ローラ４０と、制御部５０とを備えている。    
搬送部１２は、複数の被記録体２０を蓄積することができる。ここで蓄積される被記録体２０としては、例えば普通紙やマット紙、光沢紙、フィルムなどがある。    
記録ヘッドＩＨ１〜ＩＨ４は、多数のノズルを備え、各ノズルからインクを吐出して被記録体２０に対し記録を施すようになっている。
【００２０】
キャリッジ３０は、記録ヘッドＩＨ１〜ＩＨ４と一体に設けられたカートリッジ装着部３２を備え、このカートリッジ装着部３２に、インクカートリッジＩＮＣ１とインクカートリッジＩＮＣ２とが装着される。インクカートリッジＩＮＣ１には、シアン（Ｃ）、マゼンダ（Ｍ）、イエロ（Ｙ）の３色インクが収容され、インクカートリッジＩＮＣ２には、黒（Ｋ）インクが収容されている。各インクカートリッジＩＮＣ１、ＩＮＣ２から記録ヘッドＩＨ１〜ＩＨ４に対してインクの供給が行われる。また、ＩＮＣ１又はＩＮＣ２にはライトシアン（ＬＣ）、ライトマゼンダ（ＬＭ）、ダークイエロ（ＤＹ）が収容されても良い。
【００２１】
キャリッジ３０は、被記録体２０の搬送方向と交差する方向に沿って配設されたガイド部材３３に沿って移動可能に設けられている。さらにキャリッジ３０は、プーリー３４とキャリッジモータ３５（以下、ＣＲモータとする）との間に掛け渡された駆動ベルト３６に接続されていて、キャリッジモータ３５の回転駆動によりガイド部材３３に沿って往復移動するように構成されている。
【００２２】
搬送ローラ４０は、ギア機構４２を介して搬送モータ４４（以下、ＰＦモータとする）に接続され、当該搬送モータ４４によって回転駆動されるように構成されている。搬送ローラ４０は、記録ヘッドＩＨ１〜ＩＨ４による被記録体２０への記録進捗状況に合わせて被記録体２０の搬送を行う。
【００２３】
制御部５０は、搬送ローラ４０の回転角度を検知するロータリ式エンコーダ５１や、キャリッジ３０の位置を検知するリニア式エンコーダ（図示外）などの各種センサを備え、これら各センサから得られたセンサ出力に基づいて、キャリッジモータ３５や搬送モータ４４、記録ヘッドＩＨ１〜ＩＨ４を駆動制御する。
【００２４】
なお、本実施形態では、これらの構成の他に、被記録体２０の種類の判別手段として、被記録体２０の搬送機構中の上下部（例えばプラテン１７の上下部）にそれぞれ第１反射型光学センサ７０（被記録体２０の一面を上面とした場合の第１検知部材）、第２反射型光学センサ７１（被記録体２０の他面を下面とした場合の第２検知部材）を備えている。前記反射型光学センサ７０、７１は、制御部５０により駆動制御されており、そのセンサ出力は制御部５０に向けて出力される。
【００２５】
＝＝＝制御部の概要＝＝＝
次に制御部５０の概要について説明する。図２は、インクジェットプリンタの電気的構成の一例を示すブロック図である。    
制御部５０は、図２に示すように、コンピュータ本体２から送信された記録データ等の各種データを受信して一時的に記憶するバッファメモリ５４と、受信した記録データをバッファメモリ５４より取得して格納するイメージバッファ５５と、プリンタ１０全体の動作を制御するシステムコントローラ５３と、メインメモリ５６と、ＥＥＰＲＯＭ５７とを備えている。
【００２６】
システムコントローラ５３は、キャリッジモータ３５を駆動制御するキャリッジモータ駆動部５８と、搬送モータ４４を駆動制御する搬送モータ駆動制御部５９と、記録ヘッドＩＨ１〜ＩＨ４を駆動するヘッド駆動部６０とに制御信号を発し、ロータリ式エンコーダ５１と、リニア式エンコーダ５２から制御信号を受け取る。
【００２７】
コンピュータ本体２から出力された記録データは、一旦、バッファメモリ５４に蓄えられる。ここで蓄えられた記録データは、その中から必要な情報がシステムコントローラ５３により読み出されて、その読み出された情報に基づき、システムコントローラ５３が、キャリッジモータ駆動部５８、搬送モータ駆動部５９およびヘッド駆動部６０に対して制御信号を送出してこれらをそれぞれ駆動制御する。
【００２８】
イメージバッファ５５には、バッファメモリ５４で受信された複数の色成分の記録データが格納される。ヘッド駆動部６０は、システムコントローラ５３からの制御信号に従って、イメージバッファ５５から各色成分の記録データを読出し、これに応じて記録ヘッドＩＨ１〜ＩＨ４に設けられた各色のノズルアレイを駆動する。
【００２９】
なお、本実施形態では、システムコントローラ５３は、第１反射型光学センサ７０を駆動制御する第１反射型光学センサ制御部７２、第２反射型光学センサ７１を駆動制御する第２反射型光学センサ制御部７３と、被記録体２０反転機構８０と、報知部９０とを制御する。本実施形態においては、被記録体２０の上の位置に第１反射型光学センサ７０、下の位置に第２反射型光学センサ７１を有する。前記反射型光学センサ７０、７１、前記反射型光学センサ制御部７２、７３及び被記録体２０反転機構８０については、後で詳しく説明する。
【００３０】
＝＝＝搬送機構および被記録体反転機構＝＝＝
次に、本実施形態に係る記録装置の搬送機構および被記録体反転機構について説明する。図３は、それら搬送機構１１および被記録体反転機構８０を模式的に示した内部構成図である。
【００３１】
＜搬送機構＞
搬送機構１１は、図３に示すように、搬送部として、搬送ホッパ１２と、搬送ローラ１３と、送り込みローラ１４とを備えている。また、搬送機構１１は、記録ヘッドＩＨ１〜ＩＨ４の移動に合わせて被記録体２０を順次搬送する搬送機構として、搬送ローラ４０と、この搬送ローラ４０に従動して回転する補助ローラ１５と、上下ガイド板１６ａ、１６ｂと、プラテン１７と、上下２つの排紙ローラ１８ａ、１８ｂとを備えている。
【００３２】
搬送ホッパ１２に蓄えられた被記録体２０は、搬送ローラ１３によって最上部のものから１枚ずつ順次取り出されて、さらに送り込みローラ１４により上下両ガイド板１６ａ、１６ｂの間に搬送される。上下両ガイド板１６ａ、１６ｂの間を通過した被記録体２０は、搬送ローラ４０と補助ローラ１５の間に挟み込まれてプラテン１７へと送り込まれる。プラテン１７では、被記録体２０の上方をキャリッジ３０が移動し、その移動に伴って記録ヘッドＩＨ１〜ＩＨ４からインクが吐出されて、被記録体２０にドットが形成される。被記録体２０は、搬送ローラ４４と補助ローラ１５により記録ヘッドＩＨ１〜ＩＨ４の記録進捗状況に合わせて徐々に搬送される。記録の終了した被記録体２０は、上下２つの排紙ローラ１８ａ、１８ｂの間に挟まれて、その上方に設けられた排紙口１９からプリンタ１０の外部に排出される。
【００３３】
＜被記録体反転機構＞
さらに本実施形態では、前述した搬送機構１１に加え、被記録体反転機構８０を備えている。被記録体反転機構８０は、被記録体２０を表裏反転して、これから記録しようとする被記録体２０の面を他側の面に切り替えるための機構である。本実施形態では、この被記録体反転機構８０として、図３に示すように、上下２つの排紙ローラ１８ａ、１８ｂの排紙側に配置されて、当該排紙ローラ１８ａ、１８ｂから送り出された被記録体２０の搬送方向を上下切り替える切り替えガイド８２と、この切り替えガイド８２により下方に導かれた被記録体２０を上下両側から挟み込んで下方部へと送り込む上下２つの反転ローラ８４ａ、８４ｂと、上下２つの反転ローラ８４ａ、８４ｂにより送り込まれてきた被記録体２０を検知する被記録体２０検知センサ８６と、被記録体２０を搬送機構１１の搬送側、ここでは、上下ガイド板１６ａ、１６ｂ間に送り戻すための第１ガイド部材８８、第２ガイド部材８９とを備えている。
【００３４】
被記録体２０を反転する場合には、まず、切り替えガイド８２の姿勢を変化させて、排紙ローラ１８ａ、１８ｂの間から送出された被記録体２０を下方に案内する。下方に案内された被記録体２０は、上下２つの反転ローラ８４ａ、８４ｂによってさらに下方部へと送り込まれる。下方部へと送り込まれた被記録体２０は、被記録体検知センサ８６を横切ることによりこれに検知される。被記録体検知センサ８６に検知された被記録体２０は、反転ローラ８４ａ、８４ｂにより所定量だけ下部位置へと送り込まれた後、反転ローラ８４ａ、８４ｂが逆回転されて、再び送り込まれた側へと送り戻される。送り戻された被記録体２０は、反転ローラ８４ａ、８４ｂの出口付近に配置された第１ガイド部材８８によって上方へと案内されて、そこからＳ字を描きながら搬送機構１１の搬送側へと導かれて、最終的に第２ガイド部材８９によって上下ガイド板１６ａ、１６ｂ間へと案内される。これによって、被記録体２０は、表裏反転された状態で、記録が行われるプラテン１７の上へと再び送り込まれることとなる。
【００３５】
＝＝＝反射型光学センサの構成例＝＝＝
図４は、本実施形態における被記録体２０の種類や表裏を判別する手段を構成する第一反射型光学センサ７０と第二反射型光学センサ７１の一実施形態を示した模式図である。    
本実施形態において被記録体２０の種類等を検知するため、被記録体２０の上下の位置に前記反射型光学センサ７０、７１が設置されている。前記反射型光学センサ７０、７１は発光ダイオードなどから構成される発光部７０ａ、７１ａと、フォトトランジスタなどから構成される受光部７０ｂ、７１ｂとを備えている。
【００３６】
発光部７０ａ、７１ａは、被記録体２０に対して所定の角度をなして光を発するように構成されている。他方、受光部７０ｂ、７１ｂは、被記録体２０の表面で反射された光を受けるようになっている。これにより、反射型光学センサ７０、７１は、発光部７０ａ、７１ａから照射された光の反射量を検知して被記録体２０の光沢度を検知するようになっている。第１反射型光学センサ７０からの検知結果である第１検知信号値、第２反射型光学センサ７１からの検知結果である第２検知信号値の検知結果は、制御部５０に出力される（以下、第１検知信号値、第２検知信号値を総称して、「信号値」ともいう）。
【００３７】
なお、本実施形態では、発光部７０ａ、７１ａと受光部７０ｂ、７１ｂとが隣接して配置されていたが、相互に間隔をあけて別々に配置されていても良い。また、上下の前記反射型光学センサ７０、７１は、被記録体２０の相違する位置を検知するとしても良い。
【００３８】
このような構成において、例えば、フィルムや光沢紙の被記録体２０に光を照射すると、照射された光のうちの大部分が正反射されるので、受光部７０ｂ、７１ｂに入射する光量は、大きい。一方、例えば、普通紙やマット紙の被記録体２０に光を照射すると、照射された光が拡散・吸収されるので、受光部７０ｂ、７１ｂに入射する光量は、小さい。したがって、被記録体２０の反射率に応じて、反射光の光量の強度が異なる。
【００３９】
さらに、被記録体２０の反射率は被記録体２０の種類や表裏に応じて異なるので、被記録体２０の反射率に基づいて、被記録体２０の種類や表裏を判別することが可能である。よって、受光部の出力信号と被記録体２０の種類等との関係を予め求めていれば、受光部の出力信号に基づいて、被記録体２０の種類等を判別することが可能である。この場合、受光部の出力信号と被記録体２０の種類との関係に関する情報は、互いに関連付けたテーブルとして、メモリ５６に記憶されているのが良い。
【００４０】
＝＝＝被記録体のユーザーによる設定＝＝＝
図７は、コンピュータシステムに接続された表示装置１１０４（図１１）の画面に表示されたプリンタドライバのユーザーインターフェースを示す説明図である。ユーザーは、入力装置１１０８（図１１）を用いて、各種の設定を行うことができる。
【００４１】
ユーザーは、この画面上から、記録モードを選択することができる。例えば、ユーザーは、記録モードとして、高速記録モード又はファイン記録モードを選択することができる。また、ユーザーは、この画面上から、記録するときのドットの間隔（解像度）を選択することができる。例えば、ユーザーは、この画面上から、記録の解像度として７２０ｄｐｉ又は３６０ｄｐｉを選択することができる。
【００４２】
また、ユーザーは、この画面上から、入力装置１１０８を介して、記録する被記録体の種類を選択することができる。コンピュータ本体は、入力装置１１０８を介して被記録体の種類に関するデータを取得する。内部メモリ１２０２（図１２）は、被記録体の種類に関するデータを記憶している。コンピュータ本体は、このデータに基づいて、被記録体の種類に関するデータを取得することができる。そして、記録を行うとき、コンピュータ本体は、被記録体の種類に関するデータをプリンタ側に送信する。なお、被記録体の種類に関するデータは、プリンタ側のメインメモリ５６に記憶されていても良い。この場合、コンピュータ本体は被記録体の種類に関するデータをプリンタ側に送信し、プリンタ側は、このデータに基づいて、受信した被記録体の種類に関するデータを取得する。
【００４３】
＝＝＝＝被記録体の種類の判別原理＝＝＝
次に前述した反射型光学センサ７０、７１による被記録体２０の種類の判別原理について説明する。    
図５は、被記録体２０の種類と、各種類の被記録体２０の表面および裏面における前記反射型光学センサ７０、７１の信号値（出力電圧［Ｖ］）との関係を示したグラフである。図６は、そのグラフの各信号値を表にまとめたものである。
【００４４】
図５のグラフに示されているように、「普通紙」を除く、他の種類の被記録体２０、即ち「マット紙１」、「マット紙２」、「光沢紙１」、「光沢紙２」、「フィルム１」、「フィルム２」においては、それぞれ表面と裏面とで前記反射型光学センサ７０、７１から出力される信号値が異なる。例えば、「マット紙１」は、表面が約１．０［Ｖ］、裏面が約１．７［Ｖ］であり、「マット紙２」は、表面が約０．９［Ｖ］、裏面が約１．８［Ｖ］であり、「光沢紙１」は、表面が約２．６［Ｖ］、裏面が約１．７［Ｖ］であり、「光沢紙２」は、表面が約２．８［Ｖ］、裏面が約１．１［Ｖ］であり、「フィルム１」は、表面が約３．１［Ｖ］、裏面が約４．３［Ｖ］であり、「フィルム２」は、表面が約４．５［Ｖ］、裏面が約４．９［Ｖ］である。「普通紙」は、表面および裏面ともに、約１．２［Ｖ］である。
【００４５】
なお、ここでいう表面とは、高い画像品位や鮮やかな発色などを得るために、特殊なコーティング等が施されている、記録に適した面のことをいう。一方、裏面とは、表面の逆面で前述したいようなコーティングが施されていない、表面に比べて記録に適していない面のことをいう。本実施形態においては、記録すべき面を記録に適した面である表面とする。
【００４６】
プリンタ１０は、被記録体２０の種類ごとに、その表面および裏面における前記反射型光学センサ７０、７１の信号値のデータを、図６に示すような形式でメインメモリ５６等の適宜な記憶部に記憶している。システムコントローラ５３は、前記反射型光学センサ７０、７１の信号値に基づき、そのデータを参照して、被記録体２０の種類を判別する。
【００４７】
＜被記録体の種類の判別について＞
次に、本実施形態における被記録体２０の種類等の判別方法について説明する。図８は、本実施形態の被記録体２０の種類等の判別方法を説明するためのフローチャートである。
【００４８】
最初にユーザーは、表示装置１１０４（図１１）の画面上から、入力装置１１０８を介して、記録命令と記録する被記録体２０の種類の設定を指定する（Ｓ１０１）。コンピュータ本体は、入力装置１１０８を介して被記録体２０の種類に関するデータを取得する。  プリンタ１０は、コンピュータ本体２から出力された記録データ等の各種データを受信すると、そのデータから各種情報を取得して、その情報に基づき、記録データを、記録を行うために必要なイメージデータに変換するなどの記録前処理を行う。    
また、搬送部１２から搬送ローラ１３により最上部の被記録体２０を１枚繰り出してプラテン１７へと搬送する（Ｓ１０２）。
【００４９】
被記録体２０がプラテン１７へと送り込まれると、第１反射型光学センサ７０、第２反射型光学センサ７１のそれぞれ発光部７０ａ、７１ａから被記録体２０に対して光が発せられる。被記録体２０を反射した光は、前記反射型光学センサ７０、７１の受光部７０ｂ、７１ｂで受けることにより検知される。前記反射型光学センサ制御部７２、７３は、その結果である出力電圧を検知する（Ｓ１０３）。
【００５０】
次に、プリンタ１０は、検知した上下面の出力電圧の大きい方の信号値を選び、所定の値と比較し被記録体２０の種類の判別を行う（Ｓ１０４）。ここで、前記判別により被記録体２０の種類が判別できた場合（Ｓ１０５：Ｙ）は後述する。
【００５１】
次に、前記判別で被記録体２０の種類を判別することができない場合（Ｓ１０５：Ｎ）は、被記録体２０の検知した上下面の２つの出力電圧の差の絶対値を求め、この信号値を用いて被記録体２０の種類を判別する（Ｓ１０６）。即ち、上下面の２つの出力値の大きい方の信号値が所定の範囲に入っている場合には、上下面の２つの出力電圧の差を用いて、被記録体２０の種類を判別する。この方法で判別できない場合（Ｓ１０７：Ｎ）は、警告又は記録の中止をユーザーに知らせる。
【００５２】
上記二つの判別方法で被記録体２０の種類が判別できた場合（Ｓ１０５：Ｙ，Ｓ１０７：Ｙ）は、次に、被記録体２０の上面が表面であるかを、検知した上下面の２つの出力電圧より判別する（Ｓ１０８）。判別により上面が表面（Ｓ１０８：Ｙ）であり、ユーザーが記録の際コンピュータ本体２のプリンタドライバのユーザーインターフェース（図７）で設定した各種設定に本実施形態により判別した被記録体２０の種類が合致する場合（Ｓ１０９：Ｙ）は、被記録体２０に記録する。前記各種設定と合致しない場合（Ｓ１０９：Ｎ）は、警告又は記録の中止をユーザーに知らせる。
【００５３】
判別により被記録体２０の上面が表面でない場合は（Ｓ１０８：Ｎ）、プリンタの反転機構８０により、被記録体２０の上下面を反転する（Ｓ１１０）。被記録体２０の上下面の反転後、本実施形態により判別した被記録体２０の種類が、ユーザーが記録の際設定した前記各種設定に合致する場合は、被記録体２０に記録する。前記各種設定と合致しない場合は警告又は記録の中止をユーザーに知らせる。ここで、被記録体２０の上下面を反転した後、被記録体２０の種類を再度判別するとしても良い。
【００５４】
本実施形態によれば、被記録体２０の種類を効率よく判別し、被記録体２０への記録を的確に行える。また、被記録体２０の表裏面を逆にしてプリンタに設置した場合も、プリンタで自動的に反転し、被記録体２０への記録が的確に行える。さらに、被記録体２０の種類の判別により、例えば被記録体２０の搬送量やインクの吐出量の補正等を行うことができる。
【００５５】
なお、上記の所定の範囲は、被記録体２０の種類と関連付けられて、予めテーブルとしてメモリ５６内に格納されている。なお、このテーブルは、詳しくは、被記録体２０の種類と前記反射型光学センサ７０、７１から出力される信号値を関連付けたものである。そして、被記録体２０の種類を判別するときに、メモリ５６内に格納されているテーブルを参照して、前記反射型光学センサ７０、７１の出力に基づいて、被記録体２０の種類の判別を行う。    
被記録体２０の種類の判別を行う図８のＳＳ部分についての具体例を、２つの例を挙げて以下に詳しく説明する。
【００５６】
＝＝＝第１の判別例＝＝＝
まず、図９を参照しつつ、第１の判別例について説明する。図９は、本実施形態に係る記録装置による第１の判別例を示すフローチャートである。    
第１の判別例では、被記録体の種類として、図６における、「普通紙」、「マット紙」、「光沢紙」、「フィルム」を判別する。
【００５７】
まず、プリンタ１０は、前記反射型光学センサ７０、７１から出力された上面出力と下面出力のいずれかが２［Ｖ］より大きいか否かを判定する（Ｓ２０１）。上面出力と下面出力いずれかが２［Ｖ］より大きくない場合は、後述する（Ｓ２０１：Ｎ）。    
上面出力と下面出力いずれかが２［Ｖ］より大きい場合（Ｓ２０１：Ｙ）は、４［Ｖ］より大きいか否かを判定する（Ｓ２０３）。    
上面出力と下面出力いずれかが４［Ｖ］より大きい場合（Ｓ２０３：Ｙ）は「フィルム」と判別し、さらに、上面出力と下面出力のいずれか小さい方が表面と判別する。    
上面出力と下面出力のいずれもが４［Ｖ］より大きくない場合（Ｓ２０３：Ｎ）は「光沢紙」と判別し、さらに、上面出力と下面出力のうちでいずれか大きい方が表面と判別する。    
また、上面出力と下面出力いずれかもが２［Ｖ］より大きくない場合（Ｓ２０１：Ｎ）は、上面出力と下面出力の差の絶対値をとり（Ｓ２０２）、前記絶対値が０．２［Ｖ］より小さい場合（Ｓ２０２：Ｙ）は「普通紙」と判別する。    
一方、前記絶対値が０．２［Ｖ］より小さくない場合（Ｓ２０２：Ｎ）は、「マット紙」と判別し、さらに、上面出力と下面出力のいずれか小さい方が表面と判別する。
【００５８】
図６において、被記録体２０の表面のみで種類を判別する場合、例えば、光沢紙（光沢紙２の表面（２．８［Ｖ］））とフィルム（フィルム１の表面（３．１［Ｖ］））の判別を誤るかもしれない。しかし、本実施形態における判別方法の場合では、出力電圧の大きい方、すなわち、光沢紙２の表面（２．８［Ｖ］）とフィルム１の裏面（４．３［Ｖ］）を比較する。そのため、本実施形態における判別方法を用いると、正確に被記録体２０の種類を判別することができる。
【００５９】
また、２つの出力電圧の差の絶対値のみで比較する場合は、例えば、マット紙（マット紙１（０．７［Ｖ］））と光沢紙（光沢紙１（０．９［Ｖ］））の判別を誤るかもしれない。しかし、本実施形態における判別方法の場合では、被記録体２０の２つの出力電圧の大きい方、すなわち、マット紙１の裏面（１．７［Ｖ］）光沢紙１の表面（２．６［Ｖ］）を最初に比較し、その後２つの出力電圧の差の絶対値を比較する。そのため、本実施形態における判別方法を用いると、正確に被記録体２０の種類を判別することができる。
【００６０】
なお、本実施形態では、前記反射型光学センサ７０、７１から出力された上面出力と下面出力のうち、大きい方の信号値が所定の範囲に入っている場合は、上面出力と下面出力との差を用いて、被記録体の種類を判別したが、この例においては、所定の範囲（Ｘ［Ｖ］）は０［Ｖ］＜Ｘ＜２［Ｖ］であり、前記所定の範囲には複数の被記録体２０の種類、即ち、普通紙及びマット紙が予め対応付けられている。
【００６１】
＝＝＝第２の判別例＝＝＝
次に、図１０を参照しつつ、第２の判別例について説明する。図１０は、本実施形態に係る記録装置による第２の判別例を示すフローチャートである。    
第２の判別例では、被記録体の種類として、図６における、「普通紙１」、「普通紙２」、「マット紙１」、「マット紙２」、「光沢紙１」、「光沢紙２」、「フィルム１」、「フィルム２」を判別する。
【００６２】
まず、上面出力と下面出力いずれかが２［Ｖ］より大きいか否かを判定する（Ｓ３０１）。そして、上面出力と下面出力いずれかが２［Ｖ］より大きい場合（Ｓ３０１：Ｙ）は、４［Ｖ］より大きいか否かを判定する（Ｓ３０４）。
【００６３】
次に、上面出力と下面出力のいずれもが４［Ｖ］より大きくない場合（Ｓ３０４：Ｎ）は上面出力と下面出力の差の絶対値をとり、前記絶対値が１．２［Ｖ］より大きいか否かを判定する（Ｓ３０５）。前記絶対値が１．２［Ｖ］より小さい場合（Ｓ３０５：Ｙ）は、「光沢紙１」と判別し、さらに、上面出力と下面出力の大きい方を表面と判別する。    
前記絶対値が１．２［Ｖ］より小さくない場合（Ｓ３０５：Ｎ）は、「光沢紙２」と判別し、さらに、上面出力と下面出力の大きい方を表面と判別する。    
また、上面出力と下面出力のいずれかが４［Ｖ］より大きい場合（Ｓ３０４：Ｙ）は、上面出力と下面出力の差の絶対値をとり、前記絶対値が０．８［Ｖ］より小さいか否かを判定する（Ｓ３０６）。前記絶対値が０．８［Ｖ］より小さい場合（Ｓ３０６：Ｙ）は、「フィルム２」と判定し、さらに、上面出力と下面出力の小さい方を表面と判別する。    
前記絶対値が０．８［Ｖ］より小さくない場合（Ｓ３０６：Ｎ）は、「フィルム１」と判定し、さらに、上面出力と下面出力の小さい方を表面と判別する。    また、上面出力と下面出力いずれもが２［Ｖ］より大きくない場合（Ｓ３０１：Ｎ）は、上面出力と下面出力の差の絶対値をとり（Ｓ３０２）、被記録体２０の種類を判別する。    
前記絶対値が０．２［Ｖ］より小さい場合（Ｓ３０２：Ｙ）は、「普通紙」と判別する。    
一方、前記絶対値が０．２［Ｖ］より小さくない場合（Ｓ３０２：Ｎ）は、前記絶対値と０．８［Ｖ］と比較し（Ｓ３０３）、前記絶対値が０．８［Ｖ］より小さい場合（Ｓ３０３：Ｙ）は、「マット紙１」と判別し、さらに、上面出力と下面出力の小さい方を表面と判別する。    
また、前記絶対値が０．８［Ｖ］より小さくない場合（Ｓ３０３：Ｎ）は、「マット紙２」と判別し、さらに、上面出力と下面出力の小さい方を表面と判別する。
【００６４】
図６の表において、例えば、光沢紙１の表面（２．６［Ｖ］）と光沢紙２の表面（２．８［Ｖ］）は、大きい方の出力電圧でのみ判別すると、間違って被記録体２０の種類を判別する可能性がある。そこで、大きい方の出力電圧で比較した後、２つの出力電圧の差の絶対値を用いる。すなわち光沢紙１（０．９［Ｖ］）と光沢紙２（１．７［Ｖ］）を比較し、被記録体２０の種類を判別する。そのため、本実施形態における判別方法を用いると、正確に判別することができる。
【００６５】
なお、本判別例においても、反射型光学センサ７０、７１から出力された上面出力と下面出力のうち、大きい方の信号値が所定の範囲に入っている場合は、上面出力と下面出力との差を用いて、被記録体の種類を判別したが、この例においては、第１の所定の範囲（Ｘ１［Ｖ］）は０［Ｖ］＜Ｘ１≦２［Ｖ］であり、前記第１の所定の範囲には複数の被記録体２０の種類、即ち、「普通紙」及び「マット紙２」が予め対応付けられており、第２の所定の範囲（Ｘ２［Ｖ］）は２［Ｖ］＜Ｘ２≦４［Ｖ］であり、前記第２の所定の範囲には複数の被記録体２０の種類、即ち、「光沢紙１」及び「光沢紙２」が予め対応付けられており、第３の所定の範囲（Ｘ３［Ｖ］）は、４［Ｖ］＜Ｘ３  であり、前記第３の所定の範囲には複数の被記録体２０の種類、即ち、「フィルム１」及び「フィルム２」が予め対応付けられている。
【００６６】
＝＝＝本発明の実施に伴う付帯処理＝＝＝
本発明では、被記録体の判別処理に伴って、被記録体の種類がユーザーの設定と異なると判断された場合は、次のような処理を実行しても良い。
【００６７】
（１）ユーザーへの報知
システムコントローラ５３は、記録しようとする被記録体２０の種類が、ユーザーの設定と異なると判断した場合に、報知部９０、例えば、表示ランプや表示パネル、ブザーなどによってユーザーに対して報知するようにしても良い。この場合、被記録体２０が正しくセットされていなかったことなどを伝えることができ、セットされている被記録体２０の確認等を促すことができる。    
この他に、当該記録処理を命令したコンピュータ本体２に対し、そのコンピュータ本体２の表示画面に、エラーメッセージを伝える警告画面を表示してユーザーに報知するようにしても良い。
【００６８】
（２）被記録体の再チェック
システムコントローラ５３は、ユーザーが被記録体２０の種類の設定を変更又はユーザーにより被記録体２０をセットし直された被記録体２０に対して、ユーザーの設定と合致しているか否か前記反射型光学センサ７０、７１を通じて再チェックをするようにすると良い。この場合、再チェックの結果、ユーザーの設定と異なる場合には、ユーザーに対して、例えば前述したような報知部９０を通じて報知して、記録処理を中止するようにしても良い。
【００６９】
（３）プリントデータの再生成
システムコントローラ５３は、記録しようとする被記録体２０の種類が、ユーザーの設定と異なると判断した場合に、コンピュータ本体２に被記録体２０の種類に関するデータを送信し、被記録体に合ったプリントデータを再生成するようにしてもよい。この場合、被記録体の種類に応じた最適なプリント結果を常に提供することができる。    
これに加え、プリントデータを再生成して印刷を続行するか否かを、ユーザーが選択可能として、被記録体やインクの無駄な消費を防ぐこともできる。
【００７０】
＝＝＝コンピュータシステム等の構成＝＝＝
次に、本実施形態のコンピュータシステム等の実施形態について、図面を参照しながら説明する。    
図１１は、コンピュータシステムの外観構成を示した説明図である。コンピュータシステム１０００は、コンピュータ本体１１０２と、表示装置１１０４と、プリンタ１１０６と、入力装置１１０８と、読取装置１１１０とを備えている。コンピュータ本体１１０２は、本実施形態ではミニタワー型の筐体に収納されているが、これに限られるものではない。表示装置１１０４は、ＣＲＴ（Ｃａｔｈｏｄｅ  Ｒａｙ  Ｔｕｂｅ：陰極線管）や液晶表示装置等が用いられるのが一般的であるが、これに限られるものではない。プリンタ１１０６は、上記に説明されたプリンタが用いられている。入力装置１１０８は、本実施形態ではキーボード１１０８Ａとマウス１１０８Ｂが用いられているが、これに限られるものではない。読取装置１１１０は、本実施形態ではフレキシブルディスクドライブ装置１１１０ＡとＣＤ−ＲＯＭドライブ装置１１１０Ｂが用いられているが、これに限られるものではなく、例えばＭＯ（Ｍａｇｎｅｔ  Ｏｐｔｉｃａｌ）ディスクドライブ装置やＤＶＤ（Ｄｉｇｉｔａｌ  Ｖｅｒｓａｔｉｌｅ  Ｄｉｓｋ）等の他のものであっても良い。
【００７１】
図１２は、図１１に示したコンピュータシステムの構成を示すブロック図である。コンピュータ本体１１０２が収納された筐体内にＲＡＭ等の内部メモリ１２０２と、ハードディスクドライブユニット１２０４等の外部メモリがさらに設けられている。
【００７２】
なお、以上の説明においては、プリンタ１１０６が、コンピュータ本体１１０２、表示装置１１０４、入力装置１１０８、及び、読取装置１１１０と接続されてコンピュータシステムを構成した例について説明したが、これに限られるものではない。例えば、コンピュータシステムが、コンピュータ本体１１０２とプリンタ１１０６から構成されても良く、コンピュータシステムが表示装置１１０４、入力装置１１０８及び読取装置１１１０のいずれかを備えていなくても良い。また、例えば、プリンタ１１０６が、コンピュータ本体１１０２、表示装置１１０４、入力装置１１０８、及び、読取装置１１１０のそれぞれの機能又は機構の一部を持っていても良い。一例として、プリンタ１１０６が、画像処理を行う画像処理部、各種の表示を行う表示部、及び、デジタルカメラ等により撮影された画像データを記録した記録メディアを着脱するための記録メディア着脱部等を有する構成としても良い。
【００７３】
また、上述した実施形態において、プリンタを制御するコンピュータプログラム（被記録体の種類判別に関する前述の処理を実行するためのコンピュータプログラムを含む）は、例えば、プリンタ側のＥＥＰＲＯＭ２３等の記憶部に記憶されている。そして、制御ユニット６０が、このコンピュータプログラムを実行することにより、上述した実施形態におけるプリンタの動作をする。なお、そのコンピュータプログラムは、コンピュータ本体等を通じてダウンロード等により取得するようになっていてもよく、またコンピュータ本体１１０２内のＲＯＭ等の記憶部に記憶されていてもよい。
【００７４】
このようにして実現されたコンピュータシステムは、システム全体として従来システムよりも優れたシステムとなる。
【００７５】
＝＝＝その他の実施の形態＝＝＝
以上、一実施形態に基づき、プリンタ等の記録装置について説明したが、上記の実施の形態は、本発明の理解を容易にするためのものであり、本発明を限定して解釈するためのものではない。本発明は、その趣旨を逸脱することなく、変更または改良され得るとともに、本発明には、その等価物が含まれることは言うまでもない。    
また、本実施形態において、ハードウェアによって実現されていた構成の一部又は全部をソフトウェアによって置き換えてもよく、逆に、ソフトウェアによって実現されていた構成の一部をハードウェアによって置き換えてもよい。また、記録装置側にて行っていた処理の一部をホスト１８側にて行ってよく、また記録装置とホストの間に専用の処理装置を介設して、この処理装置にて処理の一部を行わせるようにしてもよい。    
特に、以下に述べる実施形態であっても、本発明に係る記録装置に含まれるものである。
【００７６】
＜被記録体のユーザーによる設定について＞
前述した実施形態では、表示装置１１０４に表示された画面上からユーザーが被記録体の種類を選択し、選択された種類が、反射型光学センサによって判別された被記録体の種類と一致しているか否かを判断していた。    
しかし、プリントデータ生成前に、反射型光学センサによって被記録体の種類を判別し、この判別結果をコンピュータ本体に送信するようにしてもよい。このようにすれば、ユーザーによる被記録体の選択が不要となり、コンピュータ本体が、前記判別結果を用いて、被記録体の種類に応じたプリントデータを自動生成できることとなる。したがって、被記録体の種類に応じた最適なプリント結果が常に提供可能となる。
【００７７】
＜被記録体の種類判別手段について＞
本実施形態では、被記録体の種類判別手段としては、前述したような反射型光学センサ７０、７１のような光学式のセンサを備えた場合に限らず、他の手法により被記録体の種類を判別するものであっても構わない。
【００７８】
＜反転機構について＞
反転機構としては、前記実施形態で示すような被記録体反転機構８０に限らず、他のしくみにより被記録体の表裏を反転する機構であっても構わない。
【００７９】
＜被記録体について＞
前述の実施形態では、７種類の被記録体の種類を判別していた。しかし、判別可能な被記録体の種類は、これらに限られないことは言うまでもない。例えば、他にも、はがき、合成紙、光沢フィルム、専用紙、写真紙、半光沢紙、画用紙、アイロンプリントペーパー等を判別しても良い。また、判別可能な被記録体は、同じ種類であっても厚さが異なることを判別しても良い。
【００８０】
＜記録装置について＞
記録装置は、前述したインクジェットプリンタ以外に、他のインク吐出方式を利用したプリンタ、例えば、インクを吐出しないタイプのプリンタとして、ドットインパクトプリンタや熱転写プリンタ、またレーザービーム式プリンタをはじめとする各種ページプリンタなど、記録可能な装置であれば、どのような記録装置であっても構わない。
【００８１】
【発明の効果】
本発明によれば、被記録体から得られる検知信号値を用いて効率よく被記録体の種類を判別することが可能となる。
【図面の簡単な説明】
【図１】本実施形態に係る記録装置の内部構成を概略的に説明するための説明図である。
【図２】本実施形態に係る記録装置のシステム構成を概略的に示したブロック構成図である。
【図３】本実施形態に係る記録装置の搬送機構および被記録体反転機構の一実施形態を概略的に示した概略構成図である。
【図４】本実施形態に係る記録装置の表裏判別機構の一実施形態を示した模式図である。
【図５】被記録体の種類とその表面および裏面における反射型光学センサの検出値を表わすグラフである。
【図６】被記録体の種類とその表面および裏面における反射型光学センサの検出値を表わす表である。
【図７】ユーザーインターフェースを示す説明図である。
【図８】本実施形態の被記録体２０の種類等の判別方法を説明するためのフローチャートである。
【図９】本実施形態に係る記録装置による第１の判別例を示すフローチャートである。
【図１０】本実施形態に係る記録装置による第２の判別例を示すフローチャートである。
【図１１】本実施形態に係るコンピュータシステムの外観構成を示した説明図である。
【図１２】本実施形態に係るコンピュータシステムの構成を示したブロック構成図である。
【符号の説明】
２  コンピュータ本体                １０  プリンタ
１１  搬送機構                      １２  給紙ホッパ
１３  給紙ローラ                    １４  送り込みローラ
１５  補助ローラ                    １６ａ、１６ｂ  ガイド板
１７  プラテン                      １８ａ、１８ｂ  排紙ローラ
１９  排紙口                        ２０  被記録体
３０  キャリッジ                    ３２  カートリッジ装着部
３３  ガイド部材                    ３４  プーリー
３５  キャリッジモータ              ３６  駆動ベルト
４０  搬送ローラ                    ４２  ギア機構
４４  搬送モータ                    ５０  制御部
５１  ロータリー式エンコーダ        ５２  リニア式エンコーダ
５３  システムコントローラ          ５４  バッファメモリ
５５  イメージバッファ              ５６  メインメモリ
５７  ＥＥＰＲＯＭ                  ５８  キャリッジモータ駆動制御部
５９  搬送モータ駆動制御部          ６０  ヘッド駆動部
７０  第１反射型光学センサ          ７１  第２反射型光学センサ
７０ａ、７１ａ  発光部              ７０ｂ、７１ｂ  受光部
７２  第１反射型光学センサ制御部    ７３  第２反射型光学センサ制御部
８０  被記録体反転機構              ８２  切替ガイド
８４ａ、８４ｂ  反転ローラ          ８６  被記録体検出センサ
８８  第１ガイド部材                ８９  第２ガイド部材
９０  報知部
１０００  コンピュータシステム
１１０２  コンピュータ本体
１１０４  表示装置
１１０６  プリンタ
１１０８  入力装置
１１０８Ａ  キーボード
１１０８Ｂ  マウス
１１１０  読取装置
１１１０Ａ  フレキシブルディスクドライブ装置
１１１０Ｂ  ＣＤ−ＲＯＭドライブ装置
１２０２  内部メモリ
１２０４  ハードディスクドライブユニット
ＩＨ１〜ＩＨ４  記録ヘッド
ＩＮＣ１、ＩＮＣ２  インクカートリッジ
【図１】
2004209889.tif 000003
【図２】
2004209889.tif 000004
【図３】
2004209889.tif 000005
【図４】
2004209889.tif 000006
【図５】
2004209889.tif 000007
【図６】
2004209889.tif 000008
【図７】
2004209889.tif 000009
【図８】
2004209889.tif 000010
【図９】
2004209889.tif 000011
【図１０】
2004209889.tif 000012
【図１１】
2004209889.tif 000013
【図１２】
2004209889.tif 000014